(57)【要約】【課題】簡素な構成で、フランジ部とフィルム蓋との間に内容物が挟まることを回避するとともに充填メーカー側でフィルム接合装置を所持する必要性を無くし、しかも、フィルム蓋の開口閉塞部の擦れ等の損傷の発生を抑制する容器中間体、内容物入り容器の製造方法、内容物入り容器の製造設備、および内容物入り容器を提供すること。【解決手段】缶胴３０の下方開口部３１ｂは、塞がれておらず、フィルム蓋４０は、缶胴３０のフランジ部３２に接合されるフィルム側接合部４１と缶胴３０の上方開口部３１ａを塞ぐ開口閉塞部４２とを有し、フランジ部３２は、開口閉塞部４２よりも上方側に位置する部位を有する容器中間体２０。【選択図】図２
2020128229.tif 000002
【特許請求の範囲】
【請求項１】
フランジ部を有した缶胴と、前記フランジ部に剥離可能に接合されるフィルム蓋とを有した容器中間体であって、
前記缶胴は、上方開口部および下方開口部を有した筒状の胴本体と、前記胴本体の上端縁から外周側に広がる前記フランジ部とを有し、
前記下方開口部は、塞がれておらず、
前記フィルム蓋は、前記フランジ部のフランジ側被接合部に接合されるフィルム側接合部と、前記フィルム側接合部の内周側において前記上方開口部を塞ぐ開口閉塞部とを有し、
前記フランジ部は、前記開口閉塞部よりも上方側に位置する部位を有することを特徴とする容器中間体。
【請求項２】
前記フランジ側被接合部は、外周上方に向けてテーパ状に傾斜して形成されていることを特徴とする請求項１に記載の容器中間体。
【請求項３】
前記フランジ部は、前記フランジ部の外周縁に形成される先端カール部を有し、
前記先端カール部の一部が、前記フランジ部のうち最上方に位置していることを特徴とする請求項１または請求項２に記載の容器中間体。
【請求項４】
前記缶胴は、底材としての缶底を巻締め可能な巻締め用形状部を前記下方開口部側に有していることを特徴とする請求項１乃至請求項３のいずれかに記載の容器中間体。
【請求項５】
前記胴本体の最大径は、前記フランジ部の最大径よりも大きく設定されていることを特徴とする請求項１乃至請求項４のいずれかに記載の容器中間体。
【請求項６】
内容物入り容器の製造方法であって、
請求項１乃至請求項５のいずれかに記載の容器中間体に前記下方開口部から内容物を充填する充填工程と、
前記充填工程の後に、前記下方開口部を塞ぐように前記缶胴に底材を取り付ける底材取付工程と、
を含むことを特徴とする内容物入り容器の製造方法。
【請求項７】
前記フランジ側被接合部を前記開口閉塞部に対して平行または外周下方に向けて傾斜させる加工を前記缶胴に施すテーパ加工工程が更に含まれていることを特徴とする請求項６に記載の内容物入り容器の製造方法。
【請求項８】
前記テーパ加工工程は、前記底材取付工程の工程中または工程後に行われることを特徴とする請求項７に記載の内容物入り容器の製造方法。
【請求項９】
内容物入り容器にレトルト殺菌を施すレトルト殺菌工程を更に含み、
前記レトルト殺菌工程は、前記底材取付工程および前記テーパ加工工程の後に行われることを特徴とする請求項７または請求項８に記載の内容物入り容器の製造方法。
【請求項１０】
前記容器中間体を形成する中間体形成工程を更に含み、
前記中間体形成工程は、前記充填工程とは異なる施設で実施されることを特徴とする請求項６乃至請求項９のいずれかに記載の内容物入り容器の製造方法。
【請求項１１】
内容物入り容器の製造設備であって、
請求項１乃至請求項５のいずれかに記載の容器中間体に前記下方開口部から内容物を充填する充填装置と、
前記充填装置の下流側に設置され、前記下方開口部を塞ぐように前記缶胴に底材を取り付ける底材取付装置と、
を備えることを特徴とする内容物入り容器の製造設備。
【請求項１２】
容器に内容物を充填した内容物入り容器であって、
前記容器は、フランジ部を有した缶胴と、前記フランジ部に剥離可能に接合されるフィルム蓋と、底材とを備え、
前記缶胴は、上方開口部および下方開口部を有した筒状の胴本体と、前記胴本体の上端縁から外周側に広がる前記フランジ部とを有し、
前記フィルム蓋は、前記上方開口部を塞ぐように前記フランジ部のフランジ側被接合部に接合され、
前記底材は、前記下方開口部を塞ぐように前記缶胴に取り付けられていることを特徴とする内容物入り容器。
【発明の詳細な説明】
【技術分野】
【０００１】
本発明は、缶胴のフランジ部にフィルム蓋を接合することで内容物を密閉し、フィルム蓋をフランジ部から剥離させて開封する易開封性容器の、容器中間体、内容物入り容器の製造方法、内容物入り容器の製造設備、および内容物入り容器に関する。
【背景技術】
【０００２】
従来から、食品等を密閉保存するための容器として、カップ状の容器本体のフランジ部にフィルム蓋を接合（例えば、ヒートシール）することで内容物を密閉し、開封時には、フィルム蓋をフランジ部から剥離させて開封する易開封性容器（イージーピール型蓋付き容器）が広く用いられている（例えば特許文献１を参照）。
【先行技術文献】
【特許文献】
【０００３】
【特許文献１】実開平３−６０２７６号公報
【発明の概要】
【発明が解決しようとする課題】
【０００４】
ところが、特許文献１に記載の容器では、容器本体にフィルム蓋を接合する前に内容物を充填することから、容器本体のフランジ部に内容物が付着し、フランジ部とフィルム蓋との間の接合が阻害されることが生じ得るという問題があり、また、内容物の充填後に容器本体にフィルム蓋を接合することから、内容物の充填を行う充填メーカー側で、フランジ部にフィルム蓋を接合するためのフィルム接合装置を所持する必要があるという問題があった。
【０００５】
そこで、上述した問題を解決する一つの案として、容器本体を缶胴と底材の２部品から構成し、缶胴のフランジ部にフィルム蓋を接合した後に内容物を充填し、その充填後に缶胴に底材を取り付けることにより、内容物入り容器を形成することが考えられる。
【０００６】
上述した製造方法を取った場合、容器本体にフィルム蓋を接合した後に内容物を充填することから、フランジ部とフィルム蓋との間に内容物が挟まることを回避でき、また、内容物の充填前に容器本体にフィルム蓋を接合することから、容器製造メーカー側で、缶胴のフランジ部にフィルム蓋を接合した容器中間体を形成して当該容器中間体を充填メーカーに納入し、充填メーカー側で、内容物の充填および底材の取り付けを行うようにすることも可能であるため、充填メーカー側でフィルム接合装置を所持する必要性を無くすことができる。
【０００７】
ところが、上記の場合、容器中間体の搬送時等において、フィルム蓋側を下方に向けて載置面上に容器中間体を置いた場合に、載置面との接触に起因してフィルム蓋の開口閉塞部に擦れ等の損傷が生じる虞があるという問題があった。フィルム蓋の開口閉塞部に擦れ等が生じると、フィルム蓋の開口閉塞部に施された印刷等にも損傷が生じることになる。
【０００８】
そこで、本発明は、これらの問題点を解決するものであり、簡素な構成で、フランジ部とフィルム蓋との間に内容物が挟まることを回避するとともに充填メーカー側でフィルム接合装置を所持する必要性を無くし、しかも、フィルム蓋の開口閉塞部の擦れ等の損傷の発生を抑制する容器中間体、内容物入り容器の製造方法、内容物入り容器の製造設備、および内容物入り容器を提供することを目的とするものである。
【課題を解決するための手段】
【０００９】
本発明の容器中間体は、フランジ部を有した缶胴と、前記フランジ部に剥離可能に接合されるフィルム蓋とを有した容器中間体であって、前記缶胴は、上方開口部および下方開口部を有した筒状の胴本体と、前記胴本体の上端縁から外周側に広がる前記フランジ部とを有し、前記下方開口部は、塞がれておらず、前記フィルム蓋は、前記フランジ部のフランジ側被接合部に接合されるフィルム側接合部と、前記フィルム側接合部の内周側において前記上方開口部を塞ぐ開口閉塞部とを有し、前記フランジ部は、前記開口閉塞部よりも上方側に位置する部位を有することにより、前記課題を解決するものである。
本発明の内容物入り容器の製造方法は、前記容器中間体に前記下方開口部から内容物を充填する充填工程と、前記充填工程の後に、前記下方開口部を塞ぐように前記缶胴に底材を取り付ける底材取付工程と、を含むことにより、前記課題を解決するものである。
本発明の内容物入り容器の製造設備は、前記容器中間体に前記下方開口部から内容物を充填する充填装置と、前記充填装置の下流側に設置され、前記下方開口部を塞ぐように前記缶胴に底材を取り付ける底材取付装置と、を備えることにより、前記課題を解決するものである。
本発明の内容物入り容器は、容器に内容物を充填した内容物入り容器であって、前記容器は、フランジ部を有した缶胴と、前記フランジ部に剥離可能に接合されるフィルム蓋と、底材とを備え、前記缶胴は、上方開口部および下方開口部を有した筒状の胴本体と、前記胴本体の上端縁から外周側に広がる前記フランジ部とを有し、前記フィルム蓋は、前記上方開口部を塞ぐように前記フランジ部のフランジ側被接合部に接合され、前記底材は、前記下方開口部を塞ぐように前記缶胴に取り付けられていることにより、前記課題を解決するものである。
なお、本明細書においては、フィルム蓋側を上方に向けて容器中間体や内容物入り容器を置いた状態を基準として、「上方」や「下方」等の上下を示す用語を規定したが、これら用語は、使用時、開封時、商品陳列時、製造時等における、容器中間体や内容物入り容器の向きを限定するものではない。
【発明の効果】
【００１０】
本請求項１に係る発明によれば、容器中間体が、フランジ部に接合されたフィルム蓋によって缶胴の上方開口部が塞がれるとともに、缶胴の下方開口部が塞がれていないものであることにより、フランジ部にフィルム蓋を接合した後に内容物を充填することが可能であるため、フランジ部とフィルム蓋との間に内容物が挟まることを回避でき、また、容器製造メーカー側で、缶胴のフランジ部にフィルム蓋を接合した容器中間体を形成して当該容器中間体を充填メーカーに納入し、充填メーカー側で、内容物の充填および底材の取り付けを行うようにすることも可能であるため、充填メーカー側でフィルム接合装置を所持する必要性を無くすことができるばかりでなく、以下に記載する効果を奏することができる。
すなわち、本請求項１に係る発明では、フランジ部が、フィルム蓋の開口閉塞部よりも上方側に位置する部位を有していることにより、容器中間体の搬送時等において、フィルム蓋側を下方に向けて載置面上に容器中間体を置いた場合であっても、載置面に対するフィルム蓋の開口閉塞部の接触を回避することが可能であるため、載置面との接触に起因した、フィルム蓋の開口閉塞部の擦れ等の損傷や、フィルム蓋の開口閉塞部に施された印刷等の損傷の発生を抑制することができる。
【００１１】
本請求項２に係る発明によれば、フランジ側被接合部が外周上方に向けてテーパ状に傾斜して形成されていることにより、簡素な構成で、載置面とフィルム蓋の開口閉塞部との接触を確実に回避することができる。
本請求項３に係る発明によれば、先端カール部の一部が、フランジ部のうち最上方に位置していることにより、フィルム蓋側を下方に向けて容器中間体を載置面上に置いた時に、湾曲した形状の先端カール部を載置面に対して接触する部位として機能させることが可能であるため、容器中間体および載置面の損傷を抑制することができる。
本請求項４に係る発明によれば、缶胴が底材としての缶底を巻締め可能な巻締め用形状部を下方開口部側に有していることにより、内容物の充填後における底材の巻締め作業を従来の巻締め装置を用いて簡単に行うことができる。
本請求項５に係る発明によれば、胴本体の最大径が、フランジ部の最大径よりも大きく設定されていることにより、容器中間体の搬送時等に、ガイド等の周辺物に対して胴本体を当てて、周辺物に対してフランジ部が当たることを抑制でき、また、複数の容器中間体間でのフランジ部同士の接触を回避することができる。
本請求項６、１１に係る発明によれば、フランジ部にフィルム蓋が接合された容器中間体の下方開口部から内容物を充填し、その後底材で下方開口部を塞ぐことにより、充填後の容器開口部をフィルム蓋で塞ぐ場合と比べ、内容物の噛み込みによる接合不良を無くすことが出来る。
本請求項７に係る発明によれば、フランジ側被接合部を前記開口閉塞部に対して平行または外周下方に向けて傾斜させる加工を缶胴に施すテーパ加工工程が更に含まれていることにより、内容物入り容器の段階で、フィルム蓋の開口閉塞部よりも上方側にフランジ部の少なくとも一部が位置している状態を解消することができるばかりでなく、フランジ部とフィルム蓋との間の接合強度を強くしなくとも、内容物入り容器の耐圧性を向上させることができる。テーパ加工工程はフランジ側被接合部を前記開口閉塞部に対して平行または外周下方に向けて傾斜させても良いが、より耐圧性を向上させるには外周下方に向けて傾斜させることが好ましい。
本請求項８に係る発明によれば、テーパ加工工程が、底材取付工程の工程中または工程後に行われることにより、充填工程、および、底材取付工程の少なくとも途中においては、フィルム蓋の開口閉塞部よりも上方側にフランジ部の少なくとも一部が位置している状態が維持されるため、設置面等との接触に起因した開口閉塞部の損傷を回避することができる。
本請求項９に係る発明によれば、フランジ側被接合部を外周下方に向けて傾斜させ、内容物入り容器の耐圧性を向上させた状態で、レトルト殺菌工程を施すことができる。
本請求項１０に係る発明によれば、中間体形成工程を充填工程とは異なる施設で実施することにより、フィルム接合装置を所持していない施設においても、内容物入り容器の製造を行うことができる。
請求項１２に掛る発明によれば、フランジ部にフィルム蓋が接合されていることにより開封が容易に行えると共に、底材が缶胴の下方開口部に取り付けられていることにより、底材側から開封することもできる。
【図面の簡単な説明】
【００１２】
【図１】本発明の一実施形態に係る内容物入り容器を示す説明図。
【図２】容器中間体を示す説明図。
【図３】缶胴を示す説明図。
【図４】内容物入り容器の製造設備を概略的に示す説明図。
【図５】内容物入り容器の製造方法を示す説明図。
【図６】各種変形例を示す説明図。
【発明を実施するための形態】
【００１３】
以下に、本発明の一実施形態について、図面に基づいて説明する。
【００１４】
まず、内容物入り容器１０は、図１に示すように、フランジ部３２を上方側に有した金属製の缶胴３０と、フランジ部３２に剥離可能に接合されるフィルム蓋４０と、金属製の缶胴３０の下方側に取り付けられた金属製の底材５０とから成る所謂イージーピール型蓋付き容器内に、飲食物等の内容物６０を充填したものである。内容物入り容器１０の開封時には、フランジ部３２からフィルム蓋４０を剥離させて、缶胴３０の上方開口部３１ａを開放する。
【００１５】
以下、内容物入り容器１０の各構成要素について、具体的に説明する。
【００１６】
まず、缶胴３０は、図２や図３に示すように、胴本体３１と、胴本体３１の上端縁から外周側に広がるフランジ部３２とを有している。
【００１７】
胴本体３１は、円環状の断面形状を有した筒状に形成され、図３に示すように、上方開口部３１ａと下方開口部３１ｂとを有している。
胴本体３１は、図３に示すように、上方側に向かうに従って縮径するように胴本体３１を曲げた部位であるネッキング部３１ｃを上方開口部３１ａ側に有している。
また、図３から分かるように、胴本体３１の最大径（本実施形態では、胴本体３１の下端側の最大径）は、フランジ部３２の最大径よりも大きく設定されている。
また、図３では胴本体３１は上方側に向かうに従って縮径するテーパ形状となっているが、ストレート形状でも良い。
【００１８】
フランジ部３２は、図２や図３に示すように、フィルム蓋４０が接合（本実施形態では熱溶着）される環状（すなわち、無端状に一周繋がった状態）のフランジ側被接合部３２ａと、フランジ側被接合部３２ａの外周縁に連続して形成された先端カール部３２ｂと、フランジ側被接合部３２ａの内周縁に連続して形成された屈曲部３２ｃとを有している。
なお、これら各部は、円環状にそれぞれ形成されているが、具体的形状は、楕円環状、矩形環状等の如何なるものでもよい。
【００１９】
フランジ側被接合部３２ａは、図３に示すように、断面視した場合に直線状（すなわち平面状）に形成されている。本実施形態では、フランジ側被接合部３２ａの上面の全域に亘ってフィルム蓋４０が接合されるが、フランジ側被接合部３２ａの上面の一部領域のみにフィルム蓋４０を接合してもよい。フランジ側被接合部３２ａの上面にフィルム蓋４０を接合することにより、フランジ部３２とフィルム蓋４０との間の環状の接合部が形成される。
【００２０】
フランジ側被接合部３２ａ（および先端カール部３２ｂ）は、図１に示すように、内容物入り容器１０の状態では、外周下方に向けてテーパ状に（フィルム蓋４０の開口閉塞部４２に対して）傾斜して形成されている。また、これにより、フランジ側被接合部３２ａの外周側に形成された先端カール部３２ｂについても、外周下方に向けて傾斜する。
【００２１】
また、先端カール部３２ｂは、図１や図３に示すように、フランジ部３２の外周縁を外周かつ下方側に丸めるように湾曲して形成されている。
屈曲部３２ｃは、図３に示すように、胴本体３１の上端縁とフランジ側被接合部３２ａの内周縁とを接続する部位であり、内周側（上方側）に向けて凸状の湾曲面状に形成されている。なお、胴本体３１の上端縁とフランジ側被接合部３２ａの内周縁との間を、屈折部や他の部位によって接続してもよい。
【００２２】
図１に示すように、内容物入り容器１０の状態では、フランジ側被接合部３２ａや先端カール部３２ｂを含むフランジ部３２全体が、フィルム蓋４０の開口閉塞部４２（上方開口部３１ａ）よりも下方側に位置している。
【００２３】
また、本実施形態では、フランジ側被接合部３２ａの外周縁と先端カール部３２ｂの内周縁との間の境界部を滑らかに屈曲させて（Ｒをつけて）形成しているが、屈折させて形成してもよい。
【００２４】
フィルム蓋４０は、図２に示すように、フランジ部３２のフランジ側被接合部３２ａに接合される環状（無端状に一周繋がった状態）のフィルム側接合部４１と、フィルム側接合部４１の内周側において缶胴３０の上方開口部３１ａを塞ぐ開口閉塞部４２とを有している。
開口閉塞部４２は、図１に示すように、フィルム蓋４０がフランジ部３２に接合された状態で、シワなく張られた状態で、上方開口部３１ａを塞いでいる。
なお、本実施形態では、フィルム蓋４０は、フランジ部３２に接合された状態で、フランジ側被接合部３２ａの外周側と同じサイズで形成されているが、フィルム蓋４０のサイズは任意に設計すればよく、例えば、フィルム蓋４０の外周部の全部又は一部が、先端カール部３２ｂよりも外周側に位置するように、フィルム蓋４０のサイズを設計してもよい。
また、本実施形態では、フィルム側接合部４１が円環状に形成されているが、フィルム側接合部４１の具体的態様については、環状（無端状に一周繋がった状態）に形成されたものであれば如何なるものでもよい。
【００２５】
底材５０は、金属製の缶底から成り、図１に示すように、缶胴３０の下方開口部３１ｂを塞ぐように、胴本体３１の下端側に巻締めによって取り付けられている。よって従来の缶切りなどを用いて底材を開封することができる。または缶底にイージーオープン缶蓋やヒートシール缶蓋を用いることもでき、より容易に開封することができる。
【００２６】
次に、内容物入り容器１０の製造途中の中間体である容器中間体２０について、以下に説明する。
【００２７】
まず、容器中間体２０は、図２に示すように、フランジ部３２を上方側に有した金属製の缶胴３０と、フランジ部３２に剥離可能に接合されるフィルム蓋４０とから構成されている。
容器中間体２０の状態では、図２に示すように、缶胴３０の下端側に底材５０が取り付けられておらず、すなわち、缶胴３０の下方開口部３１ｂは塞がれておらず、また、その内部に内容物６０は充填されていない。
【００２８】
また、内容物入り容器１０の状態では、図１に示すように、フランジ部３２のフランジ側被接合部３２ａが、外周下方に向けてテーパ状に傾斜して形成されているものとして説明したが、容器中間体２０の状態では、図２や図３に示すように、フランジ側被接合部３２ａが、外周上方に向けてテーパ状に（フィルム蓋４０の開口閉塞部４２に対して）傾斜して形成されている。
また、これに伴って、フランジ側被接合部３２ａよりも外周側に形成された先端カール部３２ｂについても、内容物入り容器１０の状態よりも、容器中間体２０の状態の方が、上方側に位置している。
【００２９】
容器中間体２０の状態で、図２や図３に示すように、フランジ部３２は、フィルム蓋４０の開口閉塞部４２（上方開口部３１ａ）よりも上方側に位置する部位を有し、本実施形態では、フランジ側被接合部３２ａや先端カール部３２ｂを含むフランジ部３２全体が、開口閉塞部４２よりも上方側に位置している。
【００３０】
また、容器中間体２０の状態では、図２や図３に示すように、先端カール部３２ｂの一部が、フランジ部３２のうち最上方に位置するように形成されている。
【００３１】
また、胴本体３１の下方開口部３１ｂ側には、図２や図３に示すように、底材５０を巻締め可能な巻締め用形状部３３が形成されており、本実施形態では、巻締め用形状部３３が、胴本体３１の下端縁から外周側に広がるフランジ状に形成されている。
【００３２】
次に、内容物入り容器１０の製造設備１１０および製造方法について、以下に説明する。
【００３３】
まず、製造設備１１０は、図４に示すように、缶胴３０を形成する缶胴形成装置やフランジ部３２にフィルム蓋４０を接合するためのフィルム接合装置を有した中間体形成装置１２０と、中間体形成装置１２０の下流側に設置された充填装置１３０と、充填装置１３０の下流側に設置された底材取付装置１４０と、底材取付装置１４０の下流側に設置されたテーパ加工装置１５０と、テーパ加工装置１５０の下流側に設置されたレトルト殺菌装置１６０とを備えている。
【００３４】
本実施形態では、中間体形成装置１２０と、それ以外の各装置１３０〜１６０とは、異なる施設に設置され、例えば、中間体形成装置１２０は、容器製造メーカーの工場に設置され、各装置１３０〜１６０は、内容物６０を充填する充填メーカーの工場に設置される。言い替えると、中間体形成装置１２０を用いた中間体形成工程と、各装置１３０〜１６０を用いた各種工程とは、異なる施設で実施される。
しかしながら、全ての装置１２０〜１６０を同一の施設に設置する等、各装置１２０〜１６０の具体的な設置場所については、如何なるものでもよい。
【００３５】
以下に、各装置１２０〜１６０における各処理工程について、図４および図５に基づいて説明する。
【００３６】
まず、中間体形成装置１２０では、容器中間体２０を形成する中間体形成工程が実施される。
この中間体形成工程では、フランジ部３２に対してフィルム蓋４０が熱溶着（ヒートシールや、高周波加熱又は超音波加熱による溶着）されるが、フランジ部３２に対するフィルム蓋４０の接合方法としては、圧着、接着剤を介在させた接着等の公知の接合方法が考えられる。
また、本実施形態では、中間体形成装置１２０において、フィルム蓋４０の開口閉塞部４２に対してフランジ部３２のフランジ側被接合部３２ａを平行に設定した状態で、フランジ側被接合部３２ａに対してフィルム蓋４０を接合した後に、図２に示すように、フランジ側被接合部３２ａが外周上方に向けてテーパ状に傾斜するように缶胴３０に曲げ加工を施す。しかしながら、図３に示すようなフランジ側被接合部３２ａが外周上方に向けてテーパ状に傾斜した状態で、フランジ側被接合部３２ａに対してフィルム蓋４０を接合してもよい。
【００３７】
次に、充填装置１３０では、図５（ｂ）に示すように、下方開口部３１ｂから容器中間体２０内に内容物６０を充填する充填工程が実施される。
【００３８】
次に、底材取付装置１４０では、図５（ｃ）や図５（ｄ）に示すように、下方開口部３１ｂを塞ぐように缶胴３０に底材５０を取り付ける（巻き締める）底材取付工程が実施される。底材５０は従来の缶底が用いられ、底材取付装置は既存の巻締め装置を用いることが出来る。また、巻締めの他に、ねじキャップ、打栓などの従来方法で底材を取付ても良い。
【００３９】
次に、テーパ加工装置１５０では、図５（ｅ）に示すように、フランジ側被接合部３２ａを外周下方に向けて傾斜させる加工を缶胴３０に施すテーパ加工工程が実施され、具体的には、フランジ側被接合部３２ａが外周上方に向けてテーパ状に傾斜した状態のフランジ部３２の内周縁付近に曲げ加工を施すことで、フランジ側被接合部３２ａを外周下方に向けて傾斜させる。
【００４０】
次に、レトルト殺菌装置１６０では、上記の通りに形成された内容物入り容器１０に対してレトルト殺菌を施すレトルト殺菌工程が実施される。
【００４１】
なお、本実施形態では、上述したように、底材取付装置１４０とテーパ加工装置１５０とが異なる装置として構成され、テーパ加工工程が、底材取付工程の工程後に行われるものとして説明したが、テーパ加工工程を底材取付工程の工程中に行う、すなわち、底材取付装置１４０によってテーパ加工工程を併せて実施してもよい。
具体的には、缶胴３０に対する底材５０の巻締めを行う時には、特開２０１７−１４８８１６号公報等に開示されるように、シーミングチャック（図示しない）によって缶胴３０に対して底材５０を押し付けた状態で、缶胴３０の巻締め用形状部３３および底材５０の外周縁付近に対してシーミングロール（図示しない）を押し当てることにより、底材５０の巻締めを行うが、上記のシーミングチャック（図示しない）によって缶胴３０に対して底材５０を押し付ける時に、フランジ側被接合部３２ａを外周下方に向けて傾斜させるようにフランジ部３２に曲げ加工を施してもよい。
また、テーパ加工工程については、充填工程の前や、充填工程と底材取付工程との間に実施してもよい。
また、上記では、テーパ加工工程が、フランジ側被接合部３２ａを外周下方に向けて傾斜させる加工を缶胴３０に施す工程であるものとして説明したが、テーパ加工工程において、フランジ側被接合部３２ａを開口閉塞部４２に対して平行にするような曲げ加工を缶胴３０に施してもよい。
【００４２】
以上、本発明の実施形態を詳述したが、本発明は上記実施形態に限定されるものではなく、特許請求の範囲に記載された本発明を逸脱することなく種々の設計変更を行なうことが可能である。また、前述または後述した実施形態や各変形例の各構成を、任意に組み合わせても何ら構わない。
【００４３】
例えば、缶胴３０や底材５０の材料は、アルミやスチール等から成る金属層に、ＰＥＴ（ポリエチレンテレフタラート）等の樹脂ラミネート層を形成したもの等、如何なるものでもよい。
また、フィルム蓋４０の材料は、アルミ等の金属層の表面にナイロン、ＰＰ、ＰＥ、及びＰＥＴ等の樹脂ラミネートを施したもの等、如何なるものでもよい。
また、缶胴３０の樹脂ラミネート層(フィルム蓋４０側の最内層)がＰＥＴから成り、フィルム蓋４０の最内層(缶胴３０側の最内層)がＰＥＴから成る場合には、フランジ側被接合部３２ａの上面にＰＰ（ポリプロピレン)等の熱可塑性樹脂を局所的に塗布する所謂スポットコートを施してもよい。スポットコートを施すことで、ＰＥＴ樹脂同士の接合性を向上させることができる。一方、スポットコート無しで、缶胴３０のＰＥＴ層とフィルム蓋４０のＰＥＴ層との直接接合を行えば、生産コスト減等のメリットを得ることができる。
【００４４】
また、上述した実施形態では、容器中間体２０の状態で、フランジ部３２全体が開口閉塞部４２よりも上方側に位置しているものとして説明したが、容器中間体２０の状態では、フランジ部３２の少なくとも一部が開口閉塞部４２よりも上方側に位置していればよく、その具体例な変形例として、図６（ａ）や図６（ｂ）に示す例が挙げられる。
図６（ａ）に示す変形例では、フランジ部３２の外周縁を上方側かつ内周側に丸めて先端カール部３２ｂを形成し、容器中間体２０の状態で、先端カール部３２ｂの少なくとも一部が開口閉塞部４２よりも上方側に位置している。なお、図６（ａ）に示す例では、容器中間体２０の状態で、開口閉塞部４２に対してフランジ側被接合部３２ａが平行になるように形成されているが、フランジ側被接合部３２ａを外周上方または外周下方に向けてテーパ状に傾斜させてもよい。
また、図６（ｂ）に示す変形例では、フランジ部３２に上方側に突出する複数（３つ）の凸部３２ｅが形成されている。これら複数（３つ）の凸部３２ｅは、図６（ｃ）に示すように、フランジ側被接合部３２ａの外周側においてフランジ部３２に等角度間隔で形成され、また、各凸部３２ｅは、開口閉塞部４２よりも上方側に位置している。図６（ｂ）（ｃ）に示す例のように、点状の凸部３２ｅを形成する場合には、容器中間体２０のフィルム蓋４０側を下方側に向けて載置面上に載置した場合に、載置面に対して開口閉塞部４２が平行な状態で容器中間体２０を載置することができるように、少なくとも３つの凸部３２ｅを形成するのが好ましい。
また、図６（ａ）や図６（ｂ）に示す容器中間体２０を用いて内容物入り容器１０を形成する時には、上述したテーパ加工工程を施してもよく、また、テーパ加工工程を施さなくてもよい。
また、図３の例、図６（ａ）の例、図６（ｂ）の例を含むいずれの場合においても、容器中間体２０のフィルム蓋４０側を下方側に向けて載置面上に載置した場合に、載置面に対して開口閉塞部４２が平行な状態で容器中間体２０を載置することができるように、フランジ部３２の少なくとも一部を開口閉塞部４２よりも上方側に位置させるのが好ましい。
【００４５】
また、上述した実施形態では、フランジ部３２のフランジ側被接合部３２ａが、断面視した場合に直線状（すなわち平面状）に形成されているものとして説明したが、フランジ側被接合部３２ａの具体的態様は上記に限定されず、例えば、フランジ側被接合部３２ａが、断面視した場合に（上方に凸状または凹状に）湾曲していてもよい。
しかしながら、フランジ側被接合部３２ａが、断面視した場合に直線状に形成されている場合、フランジ側被接合部３２ａにフィルム蓋４０を綺麗に熱接合でき、また、図６（ｄ）に示すように、後述するテーパ部３２ｄを形成した場合、フランジ側被接合部３２ａおよびテーパ部３２ｄの間の境界をより明確にすることが可能であるため、フランジ側被接合部３２ａを直線状に形成するのが好ましい。
また、上述した本実施形態では、内容物入り容器１０の状態で、（フィルム蓋４０の開口閉塞部４２に対する）フランジ側被接合部３２ａの傾斜角度を、成形後の角度（フランジ部３２のスプリングバック後の角度）約１０°で設定したが、フランジ側被接合部３２ａの傾斜角度は約５°〜６０°の如何なる範囲で設定することができる。傾斜角度が５°未満だと耐圧性への寄与が不十分となり、傾斜角度が６０°より大きいとフィルム蓋４０の外周縁に生じるシワが大きくなり、開封性が低下することが懸念される。また、フランジ側被接合部３２ａの傾斜角度を１０°以上で設定すると、内容物入り容器１０の耐圧性が向上することから、フランジ側被接合部３２ａの斜角度を１０°以上で設定するのが好ましい。
また、上述した実施形態では、内容物入り容器１０の状態で、フランジ側被接合部３２ａを外周下方に向けてテーパ状に傾斜させるものとして説明したが、内容物入り容器１０の状態で、フランジ側被接合部３２ａをテーパ状に傾斜させることなく、フィルム蓋４０の開口閉塞部４２に対して平行に形成してもよい。
【００４６】
また、フランジ部３２の態様について、上述した実施形態では、フランジ側被接合部３２ａの外周縁に連続して先端カール部３２ｂが形成されているものとして説明したが、図６（ｄ）に示す変形例のように、フランジ側被接合部３２ａと先端カール部３２ｂとの間にテーパ部３２ｄを形成してもよい。
当該テーパ部３２ｄは、図６（ｄ）に示すように、フランジ側被接合部３２ａの外周縁および先端カール部３２ｂの内周縁に連続して形成され、内容物入り容器１０および容器中間体２０の状態で、フランジ側被接合部３２ａに対して外周下方に向けて傾斜している。
これにより、フランジ側被接合部３２ａとテーパ部３２ｄとの間の境界部を、フランジ部３２とフィルム蓋４０との間の接合部の外周縁を定める部位として機能させることが可能であり、前記接合部の外周縁に乱れが生じることを回避できる。その結果、前記接合部の外周縁の乱れを考慮して前記接合部の径方向の幅寸法を余分に大きく設計する必要が無いため、所望の耐圧性を確保しつつも、接合部の径方向の幅寸法を小さく設計でき、フランジ部３２の小型化および易開封性の向上を実現することができる。
また、フランジ部３２とフィルム蓋４０とを接合する際に、当該接合の前に、フランジ部３２のフランジ側被接合部３２ａの上面に熱可塑性樹脂を局所的に塗布する所謂スポットコートを施すことがあるが、この場合でも、フランジ側被接合部３２ａとテーパ部３２ｄとの間の境界部を、スポットコートの外周縁を定める部位として機能させることが可能であるため、前記接合部の外周縁に乱れが生じることを確実に回避できる。
また、フランジ側被接合部３２ａと先端カール部３２ｂとの間にテーパ部３２ｄを形成することにより、先端カール部３２ｂの大きさや形状に関わらず、フランジ側被接合部３２ａの外周側においてフランジ部３２とフィルム蓋４０との間に隙間を確実に生じさせることが可能であるため、当該隙間に手指を容易に差し込むことができ、易開封性を向上させることができる。
また、フランジ側被接合部３２ａと先端カール部３２ｂとの間にテーパ部３２ｄが形成されていることにより、ロール加工等と比較して大掛かりな設備を必要としないパンチおよびダイを用いた加工によって、先端カール部３２ｂを容易に形成することができる。すなわち、先端カール部３２ｂを加工する時または先端カール部３２ｂを加工する前に、テーパ部３２ｄを形成して先端カール部３２ｂの内周側の部分を傾斜させることにより、パンチおよびダイを用いた加工によって、フランジ部３２の外周縁付近を丸め易くなり、先端カール部３２ｂを容易に形成することができる。
また、テーパ部３２ｄは、断面視した場合に直線状（すなわち平面状）に形成されるが、テーパ部３２ｄの具体的態様は上記に限定されず、例えば、テーパ部３２ｄが、断面視した場合に（上方に凸状または凹状に）湾曲していてもよい。しかしながら、テーパ部３２ｄが、断面視した場合に直線状に形成されている場合、フランジ側被接合部３２ａおよびテーパ部３２ｄの間の境界をより明確にすることが可能であるため、フランジ側被接合部３２ａを直線状に形成するのが好ましい。
また、フランジ側被接合部３２ａの外周縁とテーパ部３２ｄの内周縁との間の境界部、および、テーパ部３２ｄの外周縁と先端カール部３２ｂの内周縁との間の境界部は、滑らかに屈曲させて（Ｒをつけて）形成されるが、屈折させて形成してもよい。
【００４７】
また、上述した実施形態では、フランジ部３２に先端カール部３２ｂが形成されているものとして説明したが、先端カール部３２ｂを形成しなくてもよい。しかしながら、フランジ部３２に先端カール部３２ｂを形成した場合、湾曲して形成された先端カール部３２ｂによって、使用者の指等の安全性を確保できることに加えて、フランジ部３２のフランジ側被接合部３２ａの傾斜角を大きくした場合であっても、フランジ部３２にシワが発生することを抑制するため、簡素な構成で、シワの発生に起因した内容物入り容器１０の耐圧性の低下を回避しつつ、フランジ側被接合部３２ａの傾斜角を大きくして、内容物入り容器１０の易開封性を向上させることができる。
【００４８】
また、上述した実施形態では、缶胴３０の下方側に取り付けられる底材５０が、金属製の缶底から成るものとして説明したが、底材５０の具体的態様についてはこれに限定されず、缶胴３０の下方側に取り付けられて缶胴３０の下方開口部３１ｂを塞ぐことが可能なものであれば、如何なるものでもよい。
【符号の説明】
【００４９】
１０    ・・・  内容物入り容器
２０    ・・・  容器中間体
３０    ・・・  缶胴
３１    ・・・  胴本体
３１ａ  ・・・  上方開口部
３１ｂ  ・・・  下方開口部
３１ｃ  ・・・  ネッキング部
３２    ・・・  フランジ部
３２ａ  ・・・  フランジ側被接合部
３２ｂ  ・・・  先端カール部
３２ｃ  ・・・  屈曲部
３２ｄ  ・・・  テーパ部
３２ｅ  ・・・  凸部
３３    ・・・  巻締め用形状部
４０    ・・・  フィルム蓋
４１    ・・・  フィルム側接合部
４２    ・・・  開口閉塞部
５０    ・・・  底材
６０    ・・・  内容物
１１０  ・・・  製造設備
１２０  ・・・  中間体形成装置
１３０  ・・・  充填装置
１４０  ・・・  底材取付装置
１５０  ・・・  テーパ加工装置
１６０  ・・・  レトルト殺菌装置
【図１】
2020128229.tif 000003
【図２】
2020128229.tif 000004
【図３】
2020128229.tif 000005
【図４】
2020128229.tif 000006
【図５】
2020128229.tif 000007
【図６】
2020128229.tif 000008